【手続補正書】
【提出日】平成17年8月29日(2005.8.29)
【手続補正１】
【補正対象書類名】明細書
【補正対象項目名】特許請求の範囲
【補正方法】変更
【補正の内容】
【特許請求の範囲】
【請求項１】
３次元の原画像を投影面上に投影し、該投影像に陰影を付けて疑似３次元画像としてモニタ画面に表示する画像表示装置において、
前記原画像における任意の断層像の位置を指示する断層像位置指示手段と、
前記断層像位置指示手段によって指示された断層像の位置を示す指示面を前記疑似３次元画像と交わるように、かつ前記指示面によって前記疑似３次元画像が隠れないように半透明又は透明で前記モニタ画面上に表示する指示面表示手段と、
前記断層像位置指示手段によって指示された断層像を表示する断層像表示手段と、
を備えたことを特徴とする画像表示装置。
【請求項２】
前記指示面表示手段は、前記疑似３次元画像と前記指示面とが交わる曲線を強調表示することを特徴とする請求項１に記載の画像表示装置。
【請求項３】
前記指示面表示手段は、前記指示面を形成する平面がその面全体にわたって同じ濃度で、かつ前記原画像よりも小さい画素値で構成されることを特徴とする請求項１または２に記載の画像表示装置。
【請求項４】
前記指示面表示手段は、前記指示面と前記原画像との配置関係に応じて前記指示面の投影面への投影を制御することを特徴とする請求項１乃至３の何れか一項に記載の画像表示装置。
【請求項５】
前記制御は、前記指示面と前記原画像とが前記投影面に投影されたときに重なる場合、前記原画像よりも遠くにある前記指示面は、前記投影面上に投影しないと共に、前記原画像よりも近くにある前記指示面は、前記疑似３次元画像の画素値に前記指示面の画素値を加算した画素値として前記投影面上に投影することを特徴とする請求項４に記載の画像表示装置。
【請求項６】
前記指示面表示手段は、前記疑似３次元画像を白黒表示し、前記指示面をカラー表示することを特徴とする請求項１乃至５の何れか一項に記載の画像表示装置。
【請求項７】
前記指示面表示手段は、前記指示面を構成する画素の画素値を調整することを特徴とする請求項１乃至６の何れか一項に記載の画像表示装置。
【請求項８】
前記断層像表示手段は、前原画像と交わる前記指示面の２次元画像を前記疑似３次元画像と並べて表示することを特徴とする請求項１乃至７の何れか一項に記載の画像表示装置。
【請求項９】
前記原画像は、ＣＴ画像、ＭＲ画像、超音波画像の何れかを用いて形成されることを特徴とする請求項１乃至８の何れか一項に記載の画像表示装置。
【請求項１０】
前記指示面表示手段は、前記原画像がＣＴ画像を積み上げて構成された場合には、前記ＣＴ画像と前記指示面とが交わる平面位置に対応する座標位置のＣＴ画像を補間演算することによって前記指示面の２次元画像を作成し、
前記断層像表示手段は、前記作成された２次元画像を表示する、
ことを特徴とする請求項９に記載の画像表示装置。
【請求項１１】
前記操作手段は、マウスにより構成され、
前記モニタ画面には、前記指示面の角度を変更するための指示面回転ボタンと、前記マウスのポインタ位置を示すマウスカーソルと、が表示され、
前記マウスにより前記指示面回転ボタンをクリックして前記指示面の回転を可能とし、前記マウスカーソルを前記指示面上に移動させ、前記指示面を前記マウスでドラッグすることにより、前記指示面を所望の角度に回転させる操作を行うことを特徴とする請求項１乃至１０の何れか一項に記載の画像表示装置。
【請求項１２】
前記指示面を所望の角度に回転する操作は、前記マウスのマウスカーソルを水平方向にドラッグすることで前記指示面をｙ軸回りに回転させ、垂直方向にドラッグすることで前記指示面をｘ軸回りに回転させる、
ことを特徴とする請求項１１に記載の画像表示装置。
【請求項１３】
前記操作手段は、マウスにより構成され、
前記モニタ画面には、前記指示面の位置を変更するための指示面移動ボタンと、前記マウスのポインタ位置を示すマウスカーソルと、が表示され、
前記マウスにより前記指示面移動ボタンをクリックして前記指示面の移動を可能とし、前記マウスカーソルを前記指示面上に移動させ、前記指示面を前記マウスでドラッグすることにより、前記指示面を所望の位置に平行移動させる操作を行うことを特徴とする請求項１乃至１２の何れか一項に記載の画像表示装置。
【請求項１４】
前記マウスにより前記指示面を回転又は移動させると、前記指示面の角度又は位置に対応して前記２次元画像の位置及び角度を指示し、この指示された２次元画像の位置及び角度に対応した２次元画像を表示することを特徴とする請求項１１乃至１３の何れか一項に記載の画像表示装置。
【請求項１５】
前記操作手段は、マウスにより構成され、
前記モニタ画面には、前記疑似３次元画像を回転させるための３Ｄ回転ボタンと、前記マウスのポインタ位置を示すマウスカーソルと、が表示され、
前記マウスにより前記３Ｄ回転ボタンをクリックして前記疑似３次元画像を回転可能とし、前記マウスカーソルを前記疑似３次元画像上に移動させ、前記疑似３次元画像を前記マウスでドラッグすることにより、前記疑似３次元画像を所望の角度に回転させる操作を行うことを特徴とする請求項１乃至１４の何れか一項に記載の画像表示装置。
【請求項１６】
前記マウスにより前記疑似３次元画像を回転させると、この回転した疑似３次元画像の位置及び角度に対応した２次元画像を表示することを特徴とする請求項１５に記載の画像表示装置。
【請求項１７】
前記指示面表示手段は、前記指示面の透明度に基づいて前記疑似３次元画像と前記指示面とが交わる曲線を強調表示するか前記曲線を強調表示しないかを選択可能であることを特徴とする請求項２に記載の画像表示装置。
【請求項１８】
前記断層像表示手段は、前記疑似３次元画像と、前記指示面の２次元画像とを、前記疑似３次元画像と別個の表示装置に表示することを特徴とする請求項１乃至１７の何れか一項に記載の画像表示装置。
【請求項１９】
前記指示面表示手段に表示される指示面は、長方形、円形を含む任意の形状である、
ことを特徴とする請求項１乃至１８の何れか一項に記載の画像表示装置。
【手続補正２】
【補正対象書類名】明細書
【補正対象項目名】０００７
【補正方法】変更
【補正の内容】
【０００７】
【課題を解決するための手段】
前記目的を達成するために請求項１に係る発明は、３次元の原画像を投影面上に投影し、該投影像に陰影を付けて疑似３次元画像としてモニタ画面に表示する画像表示装置において、前記原画像における任意の断層像の位置を指示する断層像位置指示手段と、前記断層像位置指示手段によって指示された断層像の位置を示す指示面を前記疑似３次元画像と交わるように、かつ前記指示面によって前記疑似３次元画像が隠れないように半透明又は透明で前記モニタ画面上に表示する指示面表示手段と、前記断層像位置指示手段によって指示された断層像を表示する断層像表示手段と、を備えたことを特徴としている。
【手続補正３】
【補正対象書類名】明細書
【補正対象項目名】０００９
【補正方法】変更
【補正の内容】
【０００９】
請求項２に係る発明は、前記指示面表示手段は、前記疑似３次元画像と前記指示面とが交わる曲線を強調表示することを特徴としている。
【手続補正４】
【補正対象書類名】明細書
【補正対象項目名】００１０
【補正方法】変更
【補正の内容】
【００１０】
即ち、前記指示面を半透明又は透明で表示するようにしたため、疑似３次元画像と指示面とが交わる曲線が不鮮明になり、特に透明で表示した場合には、疑似３次元画像と指示面とが交わる曲線が見えなくなり、指示面による指示位置が不明になる。そこで前記疑似３次元画像と指示面とが交わる曲線とを強調表示し、指示面による指示位置が明瞭になるようにしている。
また、請求項３に係る発明は、前記指示面表示手段は、前記指示面を形成する平面がその面全体にわたって同じ濃度で、かつ前記原画像よりも小さい画素値で構成されることを特徴としている。
また、請求項４に係る発明は、前記指示面表示手段は、前記指示面と前記原画像とｓの配置関係に応じて前記指示面の投影面への投影を制御することを特徴としている。
また、請求項５に係る発明は、前記制御は、前記指示面と前記原画像とが前記投影面に投影されたときに重なる場合、前記原画像よりも遠くにある前記指示面は、前記投影面上に投影しないと共に、前記原画像よりも近くにある前記指示面は、前記疑似３次元画像の画素値に前記指示面の画素値を加算した画素値として前記投影面上に投影することを特徴としている。
また、請求項６に係る発明は、前記指示面表示手段は、前記疑似３次元画像を白黒表示し、前記指示面をカラー表示することを特徴としている。
また、請求項７に係る発明は、前記指示面表示手段は、前記指示面を構成する画素の画素値を調整することを特徴としている。
また、請求項８に係る発明は、前記断層像表示手段は、前原画像と交わる前記指示面の２次元画像を前記疑似３次元画像と並べて表示することを特徴としている。
また、請求項９に係る発明は、前記原画像は、ＣＴ画像、ＭＲ画像、超音波画像の何れかを用いて形成されることを特徴としている。
また、請求項１０に係る発明は、前記指示面表示手段は、前記原画像がＣＴ画像を積み上げて構成された場合には、前記ＣＴ画像と前記指示面とが交わる平面位置に対応する座標位置のＣＴ画像を補間演算することによって前記指示面の２次元画像を作成し、前記断層像表示手段は、前記作成された２次元画像を表示する、ことを特徴としている。
また、請求項１１に係る発明は、前記操作手段は、マウスにより構成され、
前記モニタ画面には、前記指示面の角度を変更するための指示面回転ボタンと、前記マウスのポインタ位置を示すマウスカーソルと、が表示され、前記マウスにより前記指示面回転ボタンをクリックして前記指示面の回転を可能とし、前記マウスカーソルを前記指示面上に移動させ、前記指示面を前記マウスでドラッグすることにより、前記指示面を所望の角度に回転させる操作を行うことを特徴としている。
また、請求項１２に係る発明は、前記指示面を所望の角度に回転する操作は、前記マウスのマウスカーソルを水平方向にドラッグすることで前記指示面をｙ軸回りに回転させ、垂直方向にドラッグすることで前記指示面をｘ軸回りに回転させる、ことを特徴としている。
また、請求項１３に係る発明は、前記操作手段は、マウスにより構成され、前記モニタ画面には、前記指示面の位置を変更するための指示面移動ボタンと、前記マウスのポインタ位置を示すマウスカーソルと、が表示され、前記マウスにより前記指示面移動ボタンをクリックして前記指示面の移動を可能とし、前記マウスカーソルを前記指示面上に移動させ、前記指示面を前記マウスでドラッグすることにより、前記指示面を所望の位置に平行移動させる操作を行うことを特徴としている。
また、請求項１４に係る発明は、前記マウスにより前記指示面を回転又は移動させると、前記指示面の角度又は位置に対応して前記２次元画像の位置及び角度を指示し、この指示された２次元画像の位置及び角度に対応した２次元画像を表示することを特徴としている。
また、請求項１５に係る発明は、前記操作手段は、マウスにより構成され、前記モニタ画面には、前記疑似３次元画像を回転させるための３Ｄ回転ボタンと、前記マウスのポインタ位置を示すマウスカーソルと、が表示され、前記マウスにより前記３Ｄ回転ボタンをクリックして前記疑似３次元画像を回転可能とし、前記マウスカーソルを前記疑似３次元画像上に移動させ、前記疑似３次元画像を前記マウスでドラッグすることにより、前記疑似３次元画像を所望の角度に回転させる操作を行うことを特徴としている。
また、請求項１６に係る発明は、前記マウスにより前記疑似３次元画像を回転させると、この回転した疑似３次元画像の位置及び角度に対応した２次元画像を表示することを特徴としている。
また、請求項１７に係る発明は、前記指示面表示手段は、前記指示面の透明度に基づいて前記疑似３次元画像と前記指示面とが交わる曲線を強調表示するか前記曲線を強調表示しないかを選択可能であることを特徴としている。
また、請求項１８に係る発明は、前記断層像表示手段は、前記疑似３次元画像と、前記指示面の２次元画像とを、前記疑似３次元画像と別個の表示装置に表示することを特徴としている。
また、請求項１９に係る発明は、前記指示面表示手段に表示される指示面は、長方形、円形を含む任意の形状である、ことを特徴としている。